(57)【要約】【課題】コンクリートの表面に養生シートを容易かつ確実に取り付け、コンクリートを十分に湿潤養生する。【解決手段】養生シート１１は水分不透過性のプラスチックシート（ビニルシート）からなり、このシート１１の背面に、コンクリート内部の残置に適する材料からなる複数の突起状部材（小径の硅砂）１２が接着剤１３を介して適宜のピッチで点在接着される。このようにして形成された養生シート１１を、その背面の突起状部材をコンクリート内部に埋め込み一体化して、コンクリートの表面に固定する。【選択図】図１
2010024785.tif 000002
【特許請求の範囲】
【請求項１】
型枠脱型後のコンクリートの表面に一時的に固定されて、コンクリートの湿潤養生に使用するコンクリートの養生シートであって、
水分不透過性のプラスチックシートからなり、
当該シートの片側一方の面に、コンクリート内部の残置に適する材料からなる複数の突起状部材が接着剤を介して点在接着される、
ことを特徴とするコンクリートの養生シート。
【請求項２】
突起状部材は小径の粒状体、又は螺旋状若しくは３次元メッシュ状の細径繊維からなる請求項１に記載のコンクリートの養生シート。
【請求項３】
型枠脱型後のコンクリートの表面に一時的に固定されて、コンクリートの湿潤養生に使用するコンクリートの養生シートであって、
水分不透過性のプラスチックシートからなる本体シートと、当該本体シートを前記コンクリートの表面に固定するための固定用シートとを備え、
前記固定用シートの片側一方の面に、コンクリート内部の残置に適する材料からなる複数の突起状部材が接着剤を介して点在接着される、
ことを特徴とするコンクリートの養生シート。
【請求項４】
突起状部材は小径の粒状体、又は螺旋状若しくは３次元メッシュ状の細径繊維からなる請求項３に記載のコンクリートの養生シート。
【請求項５】
請求項１又は２に記載の養生シートの製造方法であって、
プラスチックシートの片側一方の面に接着剤を点在付着する工程と、
前記プラスチックシート上に複数の突起状部材を散布する工程と、
前記プラスチックシート上の前記接着剤を硬化させる工程と、
前記プラスチックシート上の前記接着剤に接触していない余分な突起状部材を除去する工程とを含む、
ことを特徴とするコンクリートの養生シートの製造方法。
【請求項６】
請求項３又は４に記載の養生シートの製造方法であって、
固定用シートの片側一方の面に接着剤を点在付着する工程と、
前記固定用シート上に複数の突起状部材を散布する工程と、
前記固定用シート上の前記接着剤を硬化させる工程と、
前記固定用シート上の前記接着剤に接触していない余分な突起状部材を除去する工程とを含む、
ことを特徴とするコンクリートの養生シートの製造方法。
【請求項７】
請求項１又は２に記載の養生シートを用いたコンクリートの湿潤養生方法であって、
型枠の内面に前記養生シートを突起状部材が点在接着された片側一方の面をコンクリート打設面として付設する工程と、
前記型枠内にコンクリートを打設する工程と、
前記コンクリートが硬化した後、前記型枠を脱型するとともに、前記養生シートを前記コンクリート内部に一体化した前記突起状部材により前記コンクリートの表面に固定転移させる工程と、
前記養生シートにより前記コンクリートを所定の期間養生させた後、前記突起状部材を前記コンクリート内部に残して、前記養生シートを撤去する工程とを含む、
ことを特徴とする養生シートを用いたコンクリートの湿潤養生方法。
【請求項８】
請求項３又は４に記載の養生シートを用いたコンクリートの湿潤養生方法であって、
型枠の内面に固定用シートを突起状部材が点在接着された片側一方の面をコンクリート打設面として付設する工程と、
前記型枠内にコンクリートを打設する工程と、
前記コンクリートが硬化した後、前記型枠を脱型するとともに、前記固定用シートを前記コンクリート内部に一体化した前記突起状部材により前記コンクリートの表面に固定転移させる工程と、
前記固定用シートを介して前記養生シートを前記コンクリートの表面に固定する工程と、
前記養生シートにより前記コンクリートを所定の期間養生させた後、前記突起状部材を前記コンクリートに残して、前記養生シートを前記固定用シートとともに撤去する工程とを含む、
ことを特徴とする養生シートを用いたコンクリートの湿潤養生方法。
【発明の詳細な説明】
【技術分野】
【０００１】
本発明は、コンクリート工事に使用するコンクリートの養生シート及びその製造方法、並びに当該養生シートを用いたコンクリートの湿潤養生方法に関する。
【背景技術】
【０００２】
従来のコンクリートの湿潤養生方法では、一般に、型枠脱型後のコンクリートの表面に、養生マットを敷設し、散水する方法が行われている。ところが、この養生マットを用いた湿潤養生方法の場合、柱や壁などの鉛直面や、スラブの下面、トンネル覆工コンクリート面のような下向き面に、養生マットを敷設することが難しい。このような場合、コンクリート表面からの乾燥を抑制するために、液体の養生剤をコンクリートの表面に散布する方法があるが、乾燥を止める効果が小さいことから舗装コンクリートを除いては実用化されていない。そこで、例えば柱や橋脚など、柱の周囲が開放されている柱状の構造物では、ビニルシートなどの養生シートを柱あるいは橋脚に巻き付ける方法が採用されている。また、一般の構造物に多用されている型枠の締め付け材（セパレータ）のねじ部を利用してビニルシートを固定している場合もある。さらに、トンネル覆工コンクリートの場合には、気体を封入した袋状のものをコンクリート面に押し当てたり、不透水性のシートあるいは板状の面材を構台や架台を用いてコンクリート面に押し当てたりする方法が取られている。またさらに、ビニルシートを接着剤を用いて直接コンクリートの表面に貼り付けることも行われている。このようなビニルシートに代表される不透水性材料からなる養生シートを用いたコンクリートの湿潤養生方法は、コンクリート表面の乾燥をほぼ完全に抑制することが可能であり、その効果も確認されている。なお、この種の養生マットや養生シートについては特許文献１、２に記載されているので、参照されたい。
【０００３】
【特許文献１】特開平９−  ４９３２３号公報
【特許文献２】特開平９−１５８４７２号公報
【発明の開示】
【発明が解決しようとする課題】
【０００４】
しかしながら、コンクリートの湿潤養生にビニルシートなどの養生シートを使用する場合、この養生シートをコンクリートの表面に、上記のとおりさまざまな方法で固定しているが、それぞれの方法には次のような問題がある。
（１）ビニルシートをコンクリートの表面に巻き付ける方法は、例えば柱や橋脚など柱の周囲が開放されている柱状の構造物に適用できるが、構造物の周長が長い場合、また、スラブ下面や、壁、覆工コンクリートのように面積が広い場合には巻き付けが困難となる。
（２）ビニルシートを型枠の締め付け材（セパレータ）のねじ部を利用して固定する方法は、締め付け材を用いないスラブやトンネルの覆工コンクリートに適用することができない。
（３）ビニルシートを構台や架台を用いてコンクリートの表面に押し付ける方法は、設備が大掛かりで、設置できる範囲が制限されることがあり、また、養生期間を長期化することが難しい。
（４）ビニルシートを接着剤を用いて直接コンクリートの表面に貼り付ける方法は、ビニルシートを取り外したときにコンクリートの表面に接着剤が残存し、美観を損ねることになる。
（５）上記いずれの固定方法でも、型枠に開口部があったりボルトや金具類が取り付けられたりしていると、養生シートでコンクリートの表面全体を覆うことができない場合がある。
【０００５】
本発明は、このような従来の課題を解決するものであり、コンクリート構造物の長さや面積に関わらず、また型枠に障害物があっても、コンクリートの表面に容易かつ確実に取り付け、また容易に取り外せて、コンクリートを十分に湿潤養生することのできるコンクリートの養生シート及びその製造方法、並びにこの養生シートを用いたコンクリートの湿潤養生方法を提供することを目的とする。
【課題を解決するための手段】
【０００６】
上記目的を達成するために、本発明の第１のコンクリートの養生シートは、型枠脱型後のコンクリートの表面に一時的に固定されて、コンクリートの湿潤養生に使用するコンクリートの養生シートであって、水分不透過性のプラスチックシートからなり、当該シートの片側一方の面に、コンクリート内部の残置に適する材料からなる複数の突起状部材が接着剤を介して点在接着される、ことを要旨とする。この場合、突起状部材は小径の粒状体、又は螺旋状若しくは３次元メッシュ状の細径繊維からなることが好ましい。
【０００７】
本発明の第２のコンクリートの養生シートは、型枠脱型後のコンクリートの表面に一時的に固定されて、コンクリートの湿潤養生に使用するコンクリートの養生シートであって、水分不透過性のプラスチックシートからなる本体シートと、当該本体シートを前記コンクリートの表面に固定するための固定用シートとを備え、前記固定用シートの片側一方の面に、コンクリート内部の残置に適する材料からなる複数の突起状部材が接着剤を介して点在接着される、ことを要旨とする。この場合、突起状部材は小径の粒状体、又は螺旋状若しくは３次元メッシュ状の細径繊維からなることが好ましい。
【０００８】
本発明のコンクリートの養生シートの製造方法は、上記第１の養生シートの製造方法であって、プラスチックシートの片側一方の面に接着剤を点在付着する工程と、前記プラスチックシート上に複数の突起状部材を散布する工程と、前記プラスチックシート上の前記接着剤を硬化させる工程と、前記プラスチックシート上の前記接着剤に接触していない余分な突起状部材を除去する工程とを含む、ことを要旨とする。
【０００９】
本発明のコンクリートの養生シートの製造方法は、上記第２の養生シートの製造方法であって、固定用シートの片側一方の面に接着剤を点在付着する工程と、前記固定用シート上に複数の突起状部材を散布する工程と、前記固定用シート上の前記接着剤を硬化させる工程と、前記固定用シート上の前記接着剤に接触していない余分な突起状部材を除去する工程とを含む、ことを要旨とする。
【００１０】
本発明のコンクリートの養生シートを用いたコンクリートの湿潤養生方法は、上記第１の養生シートを用いたコンクリートの湿潤養生方法であって、型枠の内面に前記養生シートを突起状部材が点在接着された片側一方の面をコンクリート打設面として付設する工程と、前記型枠内にコンクリートを打設する工程と、前記コンクリートが硬化した後、前記型枠を脱型するとともに、前記養生シートを前記コンクリート内部に一体化した前記突起状部材により前記コンクリートの表面に固定転移させる工程と、前記養生シートにより前記コンクリートを所定の期間養生させた後、前記突起状部材を前記コンクリート内部に残して、前記養生シートを撤去する工程とを含む、ことを要旨とする。
【００１１】
本発明のコンクリートの養生シートを用いたコンクリートの湿潤養生方法は、上記第２の養生シートを用いたコンクリートの湿潤養生方法であって、型枠の内面に固定用シートを突起状部材が点在接着された片側一方の面をコンクリート打設面として付設する工程と、前記型枠内にコンクリートを打設する工程と、前記コンクリートが硬化した後、前記型枠を脱型するとともに、前記固定用シートを前記コンクリート内部に一体化した前記突起状部材により前記コンクリートの表面に固定転移させる工程と、前記固定用シートを介して前記養生シートを前記コンクリートの表面に固定する工程と、前記養生シートにより前記コンクリートを所定の期間養生させた後、前記突起状部材を前記コンクリートに残して、前記養生シートを前記固定用シートとともに撤去する工程とを含む、ことを要旨とする。
【発明の効果】
【００１２】
本発明の第１の養生シートは、上記の構成により、養生シートを予め型枠に固定してコンクリートを打設することにより、養生シートの突起状部材をコンクリート内部に埋め込み一体化して、養生シートをコンクリートの表面に固定するので、コンクリート構造物の長さや面積に関わらず、養生シートをコンクリートの表面に容易かつ確実に取り付け、また養生シートを引き剥がすだけで容易に取り外せて、コンクリートを十分に湿潤養生することができる。また、本発明の第２の養生シートは、上記の構成により、固定用シートを予め型枠に固定してコンクリートを打設することにより、固定用シートの突起状部材をコンクリート内部に埋め込み一体化して、固定用シートをコンクリートの表面に固定し、この固定用シートを介して養生シートをコンクリートの表面に固定するので、コンクリート構造物の長さや面積に関わらず、また型枠に障害物があっても、養生シートをコンクリートの表面に容易かつ確実に取り付け、また養生シートを引き剥がすだけで容易に取り外せて、コンクリートを十分に湿潤養生することができる。
【００１３】
また、これら第１、第２の養生シートの製造方法によれば、上記の作用効果を有する第１、第２の養生シートを容易かつ確実に製造することができる。
【００１４】
さらに、これら第１、第２の養生シートを用いたコンクリートの湿潤養生方法によれば、上記第１、第２の養生シートの作用効果により、簡易な作業工程で、コンクリートを十分に湿潤養生させることができ、コンクリートの品質を確実に向上させることができる。
【発明を実施するための最良の形態】
【００１５】
次に、この発明を実施するための最良の形態について図を用いて説明する。図１に、この発明の第１の実施の形態におけるコンクリートの養生シートを示している。図１において、養生シート１１は水分不透過性のプラスチックシートからなり、このシート１１の片側一方の面（背面）に、コンクリート内部の残置に適する材料からなる複数の突起状部材１２が接着剤１３を介して適宜のピッチで点在接着される。この場合、水分不透過性のプラスチックシートとしてビニルシートが採用される。突起状部材１２は小径の粒状体で、砂などの細骨材で特に耐アルカリ性、対防腐性に優れたものが好ましく、ここでは特に硅砂が使用される。接着剤１３にはエポキシ系接着剤やアクリル系接着剤などが用いられる。このようにして形成された養生シート１１は、型枠脱型後のコンクリートの表面に一時的に固定されて、コンクリートの湿潤養生に使用される。この養生シート１１の場合、特に、コンクリート構造物の周長が長い場合や面積が広い場合に好適である。この点については後述する。
【００１６】
図２に、この養生シート１１の製造方法を示している。この製造方法は、プラスチックシート（ビニルシート）１１の片側一方の面に接着剤１３を点在付着する接着剤点付け工程と、プラスチックシート（ビニルシート）１１上に複数の突起状部材（硅砂）１２を散布する突起状部材散布工程と、プラスチックシート（ビニルシート）１１上の接着剤１３を硬化させる接着剤硬化工程と、プラスチックシート（ビニルシート）１１上の接着剤１３に接触していない余分な突起状部材（硅砂）１２を除去する突起状部材除去工程と、完成品の養生シート１１を巻き取る製品巻き取り工程とからなる。図２に示すように、この製造方法では、ロール状に巻かれたビニルシート１１が送り出しローラ３０により順次水平に送り出され、まず接着剤点付け工程で、接着剤１３をビニルシート１１の背面に格子状（この場合、５０ｍｍ×５０ｍｍ程度）で点状に付着する。次いで、突起状部材散布工程で、接着剤１３が付着されたビニルシート１１の背面上に、粒形を１．２ｍｍ〜２．５ｍｍの単粒度に調整し、乾燥させた硅砂１２を散布して、ビニルシート１１の背面上に硅砂１２を接着剤１３により点在接着する。そして、このビニルシート１１上を圧着ローラ４０で軽く圧着して、硅砂１２と接着剤１３とを十分に接触させる。続いて、接着剤硬化工程で、ビニルシート１１の背面上の接着剤１３を硬化させて、硅砂１２を固定する。この場合、接着剤１３の硬化を促進するため、温風などによってシート１１の温度を高めてもよい。ビニルシート１１上の接着剤１３が硬化した後、次の突起状部材除去工程で、ビニルシート１１を傾けて、又は上下を反転させて、ビニルシート１１の背面上から接着剤１３と接触していない余分な硅砂１２を取り除く。そして、製品巻き取り工程で、完成品の養生シート１１を巻き取りローラ５０で巻き取る。なお、これらの作業は連続的に行うことが可能である。
【００１７】
図３に、この養生シート１１を用いたコンクリートの湿潤養生方法を示している。まず、図３（１）に示すように、型枠６１の内面に養生シート１１を両面テープその他の接着手段６２により突起状部材（硅砂）１２が点在接着された片側一方の面（背面）をコンクリート打設面として付設する。次いで、図３（２）に示すように、型枠６１内にコンクリートＣを打設する。続いて、図３（３）に示すように、コンクリートＣが硬化し、型枠・支保工６１を撤去してよいコンクリート強度が得られた後、型枠・支保工６１を撤去する。この型枠脱型に際して、コンクリートＣ内部に埋め込み一体化された突起状部材（硅砂）１２のアンカー作用により、養生シート１１がコンクリートＣの表面に固定転移される。そして、この養生シート１１によりコンクリートＣを所定の期間養生させた後、図３（４）に示すように、養生シート１１を剥ぎ取ることにより、突起状部材（小径の硅砂）１２のみをコンクリートＣ内部に残して、養生シート１１を撤去する。
【００１８】
以上説明したように、この養生シート１１によれば、次のような顕著な効果を奏する。
（１）通気性のない養生シート１１を、接着剤１３を用いたり機械的な支持を行ったりすることなく、コンクリートの表面に容易かつ確実に固定することができる。
（２）型枠・支保工の存置期間として必要なコンクリートの強度発現以降は、型枠・支保工を撤去しても、養生シート１１の存在によって所要の湿潤養生期間だけコンクリートの湿潤養生を継続することができる。したがって、型枠・支保工の移設、再利用を早く行うことができる。
（３）コンクリートの湿潤養生期間を型枠・支保工の存置期間とは関係なく決定できるので、コンクリートの十分な湿潤養生を行え、鉄筋の防食にとって大切なかぶりコンクリートの品質（透気性、塩化部イオン拡散係数など）を改善することができる。また、乾燥収縮ひび割れを抑制することができる。
（４）養生シート１１を引き剥がすだけで容易に取り外すことができるので、コンクリートの養生を終了したときに、養生シート１１をコンクリートの表面から容易に離脱することができ、また高所の場合でも、高所作業車上にて実施することができ、シートの撤去のための足場は不要である。
（５）コンクリート内部に存置される硅砂１２は安定的でコンクリートに無害であり、コンクリートに何ら悪影響は生じない。
（６）型枠の清掃やコンクリートの除去（ケレン）を簡略化することができる。
【００１９】
また、この養生シート１１の製造方法によれば、上記の作用効果を有する養生シート１１を容易かつ確実に製造することができる。
【００２０】
さらに、この養生シート１１を用いたコンクリートの湿潤養生方法によれば、上記養生シート１１の作用効果により、簡易な作業工程で、コンクリートを十分に湿潤養生させることができ、コンクリートの品質を確実に向上させることができる。
【００２１】
図４に、この発明の第２の実施の形態におけるコンクリートの養生シートを示している。図４において、養生シート２１は水分不透過性のプラスチックシートからなる本体シート２１１と、当該本体シート２１１をコンクリートの表面に固定するための固定用シート２１２とを備え、固定用シート２１２の片側一方の面（背面）に、コンクリート内部の残置に適する材料からなる複数の突起状部材２２が接着剤２３を介して適宜のピッチで点在接着される。この場合、本体シート２１１はビニルシートで、固定用シート２１２はビニルシートでもよく、また他のプラスチックシートでもよい。突起状部材２２は小径の粒状体で、砂などの細骨材で特に耐アルカリ性、対防腐性に優れたものが好ましく、ここでは特に硅砂が使用される。接着剤１３にはエポキシ系接着剤やアクリル系接着剤などが用いられる。このようにして構成された養生シート２１は、本体シート２１１が固定用シート２１２を介して型枠脱型後のコンクリートの表面に一時的に固定されて、コンクリートの湿潤養生に使用される。この養生シート２１の場合、特に、型枠に障害物がある場合に好適である。この点については後述する。
【００２２】
この養生シート２１の特に固定用シート２１２の製造方法は、第１の実施の形態の養生シートの製造方法と概ね同様で、固定用シート２１２の片側一方の面（背面）に接着剤２３を点在付着する接着剤点付け工程と、固定用シート２１２上に複数の突起状部材（硅砂）２２を散布する突起状部材散布工程と、固定用シート２１２上の接着剤２３を硬化させる接着剤硬化工程と、固定用シート２１２上の接着剤２３に接触していない余分な突起状部材（硅砂）２２を除去する突起状部材除去工程と、完成品の養生シート２１を巻き取る製品巻き取り工程とからなる。
【００２３】
図５に、この養生シート２１を用いたコンクリートの湿潤養生方法を示している。まず、図５（１）に示すように、型枠６１の内面に本体シート２１１の大きさに合せた固定用シート２１２を両面テープその他の接着手段６２により突起状部材（硅砂）２２が点在接着された背面をコンクリート打設面として付設する。続いて、型枠６１内にコンクリートＣを打設する。次いで、コンクリートが硬化し、型枠・支保工を撤去してよいコンクリート強度が得られた後、図５（２）に示すように、型枠・支保工６１を撤去するとともに、コンクリートＣ内部に埋め込み一体化された突起状部材（硅砂）２２のアンカー作用により、固定用シート２１２をコンクリートＣの表面に固定転移させる。そして、この固定用シート２１２に本体シート２１１を両面テープその他の接着手段６２で貼り付け固定して、この本体シート２１１でコンクリートＣの表面全体を覆う。このようにして固定された養生シート２１によりコンクリートＣを所定の期間養生させた後、図５（３）に示すように、コンクリートＣの表面から本体シート２１１を固定シート２１２とともに剥ぎ取ることにより、突起状部材（硅砂）２２のみをコンクリートＣ内部に残して、養生シート２１を撤去する。
【００２４】
以上説明したように、この養生シート２１においても、第１の実施の形態の養生シート１１と同様の作用効果を奏することができ、さらに、固定シート２１２を本体シート２１１の大きさに合わせて、予め型枠６１に固定しておくことにより、本体シート２１１（養生シート２１）を、ホームタイや開口部など養生シート２１の全面貼りの場合に障害となるものを容易に避けて固定することができる。また、固定用シート２１２は本体シート２１１をコンクリートの表面に固定すればよいので、固定用シート２１２それ自体の面積を本体シート２１１よりも小さくすることができる。
【００２５】
なお、上記各実施の形態では、突起状部材１２、２２を小径の粒状体とし、この場合、硅砂を利用したが、この突起状部材１２、２２を螺旋状若しくは３次元メッシュ状の細径繊維として形成し、この細径繊維を養生シート１１又は固定用シート２１２の背面に同様に点在接着して、この細径繊維と養生シートが形成する空間にコンクリートを充填するようにしてもよく、このようにしても上記各実施の形態と同様の作用効果を奏することができる。また、このような細径繊維を採用した養生シートの場合も、上記各実施の形態と同様の製造方法により製造して、同様の作用効果を得ることができる。さらに、この養生シートを用いたコンクリートの湿潤養生方法も、上記各実施の形態と同様に行うことで、同様の作用効果を実現することができる。
【図面の簡単な説明】
【００２６】
【図１】本発明の第１の実施の形態における養生シートの構成を示す側面図
【図２】同養生シートの製造方法を示す図
【図３】同養生シートを用いたコンクリートの湿潤養生方法を示す図
【図４】本発明の第２の実施の形態における養生シートの構成を示す側面図
【図５】同養生シートを用いたコンクリートの湿潤養生方法を示す図
【符号の説明】
【００２７】
１１  養生シート（ビニルシート）
１２  突起状部材（硅砂）
１３  接着剤
２１  養生シート
２１１  本体シート（ビニルシート）
２１２  固定用シート
２２  突起状部材（硅砂）
２３  接着剤
３０  送り出しローラ
４０  圧着ローラ
５０  巻き取りローラ
６１  型枠
６２  両面テープその他の接着手段
Ｃ  コンクリート
【図１】
2010024785.tif 000003
【図２】
2010024785.tif 000004
【図３】
2010024785.tif 000005
【図４】
2010024785.tif 000006
【図５】
2010024785.tif 000007